(57)【要約】【課題】  面倒な切り欠き作業を極力少なくし、かつ埋込材の欠損部を少なくする埋込材、埋込材ユニットおよび配管の配置方法を提供することである。【解決手段】  埋込材１は上部埋込材２と下部埋込材３とが接合して形成され、この下部埋込材３の接合面には、繋ぎ材１０が設置される交差状の下部設置溝４と、該下部設置溝４と異なる方向の交差状の嵌合溝５とが形成され、該嵌合溝５に嵌合された嵌合リブ７と、前記下部設置溝４に合致された上部設置溝６とが上部中空材２の接合面に設けられたことである。【選択図】図１
2005068909.tif 000002
【特許請求の範囲】
【請求項１】
上部埋込材と下部埋込材とが接合して形成され、この下部埋込材の接合面には、繋ぎ材が設置される交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に設けられたことを特徴とする埋込材。
【請求項２】
上部埋込材と下部埋込材とが接合した状態で球形またはカプセル形であることを特徴とする請求項１に記載の埋込材。
【請求項３】
上部埋込材と下部埋込材とが接合してなる埋込材が、上部埋込材と下部埋込材との接合部に取り付けられた繋ぎ材で縦横方向に適宜間隔をもって繋がれ、前記下部埋込材の接合面には、繋ぎ材が設置された交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に設けられたことを特徴とする埋込材ユニット。
【請求項４】
繋ぎ材は溶接金網であることを特徴とする請求項２に記載の埋込材ユニット。
【請求項５】
上部埋込材と下部埋込材とが接合してなる埋込材が、上部埋込材と下部埋込材との接合部に取り付けられた繋ぎ材で縦横方向に適宜間隔をもって繋がれ、前記下部埋込材の接合面には、繋ぎ材が設置された交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に設けられてなる埋込材ユニットを、床型枠に設置した後、上部埋込材を取り外した下部埋込材の嵌合溝に配管を設置した後、該配管が設置された嵌合溝に嵌合される嵌合リブを切り取った上部埋込材を下部埋込材に接合することを特徴とする配管の配置方法。
【発明の詳細な説明】
【技術分野】
【０００１】
本発明は埋込材、埋込材ユニットおよび配管の配置方法に関するものである。
【背景技術】
【０００２】
埋込材が埋設されたスラブに各種の配管を配置する方法として、床型枠に埋込材を設置した後、配管の設置時に、設置位置にある埋込材の一部を適切に切り欠いて設置する方法があった。また、この他の配置方法としては、例えば特開平８−１５８５１８号公報の発明がある。
【特許文献１】特開平８−１５８５１８号公報
【発明の開示】
【発明が解決しようとする課題】
【０００３】
しかし、上記のように配管の設置位置にある埋込材の一部を適切に切り欠いて設置する方法は、切り欠きが面倒で、かつ埋込材の欠損部が多くなるという問題があった。
【０００４】
本発明は上記のような問題に鑑みてなされたものであり、その目的は、面倒な切り欠き作業を極力少なくするとともに、埋込材の欠損部を小さくする埋込材、埋込材ユニットおよび配管の配置方法を提供することである。
【課題を解決するための手段】
【０００５】
本発明の埋込材は、上部埋込材と下部埋込材とが接合して形成され、この下部埋込材の接合面には、繋ぎ材が設置される交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に設けられたことを特徴とする。また上部埋込材と下部埋込材とが接合した状態で球形またはカプセル形であることを含むものである。
また埋込材ユニットは、上部埋込材と下部埋込材とが接合してなる埋込材が、上部埋込材と下部埋込材との接合部に取り付けられた繋ぎ材で縦横方向に適宜間隔をもって繋がれ、前記下部埋込材の接合面には、繋ぎ材が設置された交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に設けられたことを特徴とする。
また繋ぎ材は溶接金網であることを含むものである。
また配管の配置方法は、上部埋込材と下部埋込材とが接合してなる埋込材が、上部埋込材と下部埋込材との接合部に取り付けられた繋ぎ材で縦横方向に適宜間隔をもって繋がれ、前記下部埋込材の接合面には、繋ぎ材が設置された交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に設けられてなる埋込材ユニットを、床型枠に設置した後、上部埋込材を取り外した下部埋込材の嵌合溝に配管を設置した後、該配管が設置された嵌合溝に嵌合される嵌合リブを切り取った上部埋込材を下部埋込材に接合することを特徴とする。
【発明の効果】
【０００６】
嵌合リブを切り取るという簡単な作業により、埋込材を欠損させることなく、配管を埋込材に貫通させた状態で配置することができる。また配管が貫通されていない場合であっても、埋込材は、嵌合リブが嵌合溝に嵌合されて上部埋込材と下部埋込材とが接合されているため、無駄のない形状になる。
【発明を実施するための最良の形態】
【０００７】
埋込材は、上部埋込材と下部埋込材とが接合して球形またはカプセル形になり、該下部埋込材の接合面には、繋ぎ材が設置される交差状の下部設置溝と、該下部設置溝と異なる方向の交差状の嵌合溝とが形成され、該嵌合溝に嵌合された嵌合リブと、前記下部設置溝に合致された上部設置溝とが上部中空材の接合面に形成されているので、上部埋込材と下部埋込材とが簡単に接合または分離できる。
【実施例１】
【０００８】
図１〜図３はカプセル形の埋込材１の実施例であり、この埋込材１は軽量発泡材で形成された上部埋込材２と下部埋込材３とが接合されて形成されている。この下部埋込材３の接合面には十字状の下部設置溝４と十字状の嵌合溝５とが一致しない方向、すなわち互いの間に設けられている。この下部設置溝４には、溶接金網などの繋ぎ材が設置されるが、嵌合溝５には、後述する上部埋込材３の嵌合リブ７が嵌合される。
【０００９】
一方、上部埋込材２の接合面には、下部設置溝４に合致する十字状の上部設置溝６と、嵌合溝５に嵌合される十字状の嵌合リブ７とが設けられている。この嵌合リブ７が嵌合溝５に嵌合されて上部埋込材２が下部埋込材３に接合され、下部設置溝４に上部設置溝６が合致されて繋ぎ材の設置溝が形成される。したがって、この設置溝に繋ぎ材を設置して上部埋込材２を下部埋込材３に接合すると、この接合部に繋ぎ材が取り付けられる。また、嵌合リブ７の一列（同じ方向の２つ）を切り取って上部埋込材２を下部埋込材３に嵌合すると、切り取った嵌合リブ７が嵌合される嵌合溝５は、配管を設置する貫通孔８になる。この貫通孔８は嵌合リブ７を切り取るだけで簡単に形成できる。
【００１０】
なお、上記の実施例においては埋込材１はカプセル形であったが、これに限らず、球形であってもよい。
【００１１】
図４および図５は埋込材ユニット９の実施例であり、この埋込材ユニット９は、上記埋込材１が溶接金網などの繋ぎ材１０で縦横方向に繋がれて形成されている。この埋込材ユニット９の下部埋込材は連結材１１で縦横方向に連結され、この下部埋込材３の下部設置溝４に設置された繋ぎ材の交差部１２が上部埋込材２の上部設置溝６で固定されて、埋込材１の上部同士が連結されている。この埋込材ユニット９における埋込材１の数はスラブの大きさによって決定されるが、小さいものを多数設置することもできる。
【００１２】
また、図６および図７は配管の配置方法の実施例であり、上記の埋込材ユニット９を利用したものである。はじめに、連結材１１で連結された下部埋込材３、すなわち上部埋込材２を取り外した下部埋込材３を床型枠（図示せず）に設置する。次に、この下部埋込材３間を設置通路１３として配管１４を設置し、この配管１４を隣りの設置通路１５に設置する場合は、図６の（１）に示すように、所定の埋込材１の嵌合溝５に設置する。そして、これらの下部埋込材４の上に繋ぎ材１０を設置し、その交差部１２を下部設置溝４に設置する。
【００１３】
次に、図６の（２）に示すように、上記の配管１４が設置された嵌合溝５に嵌合される上部埋込材２の嵌合リブ７を切り取る。そして、この嵌合リブ７を切り取った上部埋込材２を、下部埋込材３に接合するとともに、他の下部埋込材３にも上部埋込材２を接合すると、図７に示すように、配管１４が埋込材１を貫通して配置され、かつ埋込材１の上部が繋ぎ材１０で連結される。
【００１４】
このような埋込材ユニット９であっても、自在に配管１４の配置をすることができる。また、配管１４を隣の設置通路１５ではなく隣の隣、すなわち一つおいた設置通路１６に配管する場合は、図７の（２）に示すように（二点鎖線で示す部分）、２つの埋込材１の上部埋込材２の嵌合リブ７を切り取って貫通孔８を形成する。
【産業上の利用可能性】
【００１５】
コンクリートスラブの構築に埋込材および埋込材ユニットを使用することができ、またスラブへの配管にも埋込材ユニットを利用することができる。
【図面の簡単な説明】
【００１６】
【図１】埋込材であり、（１）はその正面図、（２）は上部埋込材を取り外した正面図である。
【図２】下部埋込材であり、（１）は平面図、（２）は正面図である。
【図３】上部埋込材であり、（１）は正面図、（２）は底面図、（３）は平面図である。
【図４】（１）は埋込材ユニットの正面図、（２）は同平面図である。
【図５】（１）は下部埋込材に繋ぎ材を設置する正面図、（２）は同平面図である。
【図６】配管の配置方法を示し、（１）は配管を設置した下部埋込材の平面図、（２）          は嵌合リブを切り取った上部埋込材の平面図、（３）は（２）の平面図である。
【図７】（１）は埋込材ユニットに配管を配置した平面図、（２）は同正面図である。
【符号の説明】
【００１７】
１  埋込材
２  上部埋込材
３  下部埋込材
４  下部設置溝
５  嵌合溝
６  上部設置溝
７  嵌合リブ
８  貫通孔
９  埋込材ユニット
１０  繋ぎ材
１１  連結材
１２  交差部
１３、１５、１６  設置通路
１４  配管
【図１】
2005068909.tif 000003
【図２】
2005068909.tif 000004
【図３】
2005068909.tif 000005
【図４】
2005068909.tif 000006
【図５】
2005068909.tif 000007
【図６】
2005068909.tif 000008
【図７】
2005068909.tif 000009